(57)【要約】【課題】簡単な操作により画像を検索し易いように分類して表示することができる画像再生装置及び画像表示制御方法を提供する。【解決手段】撮影された画像は、分類情報と関連付けて記録されており、撮影された画像を表示部に表示する状態において、ユーザにより撮影装置のカメラが保持されているかを検出し、保持されている場合には、振動検出部により特定の振動として所定値以上の振動の印加を検出し、所定値以上の振動を検出した場合には、撮影された画像を上記分類情報を用いて表示画面に分類して表示する。【選択図】図１１
2010233081.tif 000002
【特許請求の範囲】
【請求項１】
撮影された画像を記録する記録部と上記画像を表示する表示部とを有する画像再生装置であって、
上記画像再生装置の保持を検出した状態における上記画像再生装置に印加される振動を検出する振動検出部と、
上記振動検出部により予め設定された特定の振動の印加を検出した場合、上記表示部に表示される画像を分類して表示する表示制御部と、
を備えたことを特徴とする画像再生装置。
【請求項２】
撮像部で撮影された画像を表示する表示部を有する画像再生装置であって、
上記表示部が設けられた画像再生装置の外装体に印加される振動を検出する振動検出部と、
上記振動検出部により特定の振動の検出結果に基づき、上記表示部に表示される画像を、該画像の分類に応じて上記表示部における所定位置に配置する表示制御部と、
を具備することを特徴とする画像再生装置。
【請求項３】
さらに、上記表示制御部が上記画像を分類して表示する際の上記分類に利用される分類情報を、各画像に関連付けて予め記録することを特徴とする請求項１に記載の画像再生装置。
【請求項４】
上記表示制御部は、各画像に関連付けて予め記録されている分類情報を利用することにより、上記表示部に表示される画像を、該画像の分類に応じて上記表示部における上記所定位置に配置することを特徴とする請求項２に記載の画像再生装置。
【請求項５】
上記表示制御部は、上記振動検出部により上記特定の振動として、予め設定された所定値以上の振幅の振動、又は所定の振動回数以上、又は所定方向の振動の印加を検出した場合、上記画像の分類に応じて上記表示部の周辺部側の複数の位置に配置することを特徴とする請求項１又は３に記載の画像再生装置。
【請求項６】
上記表示制御部は、上記振動検出部により上記特定の振動として、予め設定された所定値以上の振幅の振動、又は所定の振動回数以上、又は所定方向の振動の印加を検出した場合、上記画像の分類に応じて上記所定の位置として上記表示部の周辺部側に複数設定された対応する位置に配置することを特徴とする請求項２又は４に記載の画像再生装置。
【請求項７】
さらに上記表示制御部は、上記表示部に表示される画像を、該画像の分類に応じて上記表示部における上記所定位置に配置する場合、上記画像を縮小して配置することを特徴とする請求項２又は４に記載の画像再生装置。
【請求項８】
さらに上記表示制御部は、上記画像を縮小して配置する場合、該画像の分類に応じて類似する画像毎に集合させて上記所定位置としての複数の位置にそれぞれ配置することを特徴とする請求項７に記載の画像再生装置。
【請求項９】
さらに上記表示制御部は、上記特定の振動の印加とは異なる第２の振動の印加を検出した場合、上記複数の位置にそれぞれ配置された画像を上記表示部に整列させて表示することを特徴とする請求項８に記載の画像再生装置。
【請求項１０】
さらに上記表示制御部は、上記特定の振動の印加を検出した場合、該特定の振動の大きさに応じて上記表示部に表示される画像を、該画像の分類に応じて上記表示部における所定位置に配置する速度を変更することを特徴とする請求項２又は４に記載の画像再生装置。
【請求項１１】
さらに上記表示制御部は、上記特定の振動の印加を検出する場合、上記画像再生装置の外装体の一面の方向が変更されない状態であることを条件とすることを特徴とする請求項２又は４に記載の画像再生装置。
【請求項１２】
さらに上記表示部の基準面からの傾き角を検出する傾き検出部を有し、上記表示制御部は、上記傾き検出部により検出される傾き角に応じて、上記表示部に表示される画像を、該画像の分類に応じて上記表示部における所定位置に配置する速度を変更することを特徴とする請求項２又は４に記載の画像再生装置。
【請求項１３】
ユーザが画像再生装置を保持しているか否かを検出する第１のステップと、
上記画像再生装置に印加される振動を検出する第２のステップと、
ユーザが上記画像再生装置を保持しているとの検出状態において、予め設定された特定の振動の印加を検出した場合、撮影された画像を、該撮影された画像の分類に応じて表示部における複数の所定位置に配置して表示する第３のステップと、
を具備することを特徴とする画像表示制御方法。
【請求項１４】
上記第３のステップは、上記撮影された画像の分類に応じて表示部における複数の所定位置に配置して表示する場合、予め撮影された各画像に対して分類された分類情報を利用することを特徴とする請求項１３に記載の画像表示制御方法。
【発明の詳細な説明】
【技術分野】
【０００１】
本発明は、デジタルカメラやビデオカメラ、カメラ付携帯電話、フォトビューア、フォトフレームなど、静止画再生や動画再生機能を有する画像再生装置及び画像表示制御方法に関する。
【背景技術】
【０００２】
近年、撮影装置（以下カメラ）は、撮影画像を記録する記録部の容量アップなどによって、大量の画像を保存する機器として使われることがある。このような状況下では、これらの大量画像の中から、所望の画像を見つけ出すことは困難である。  
しかし、各画像は、それぞれ特色があって、この違いを有効利用して画像を分類するような工夫を行えば、分かりやすく、画像を検索できるようになる。  
つまり、カメラは、撮影時のピント合わせや露出の方法の他、撮影画像の画像処理など、様々な切換えをしながら撮影の効果を楽しむことが出来るので、こうした撮影モードに従った分類が可能である。
【０００３】
また、近年では、撮影する被写体や状況を、顔検出の技術などで判定して、撮影のモードを切り換えるようなカメラも登場している。  
さらに、撮影した日時や位置、撮影時間の集中度などで、画像を分類することも出来る。このように、撮影画像は様々な方法で、分類が可能であるが、その分類結果を有効に利用して、簡単な操作で画像を検索し易いように表示する方法はまだ確立していなかった。      一方、特開２００８−１９３４２６号公報は、表示画面の十字状に画像を配置して、十時状に配置された画像の特徴に応じて、画像を論理的に分類して表示するものを開示している。
【発明の概要】
【発明が解決しようとする課題】
【０００４】
しかしながら、特開２００８−１９３４２６号公報は、さまざまな操作ボタンを駆使することにより分類して表示するものであり、所望とする画像を検索して表示するためには、ユーザは多くの操作を行うことが必要になる。  
このため、簡単な操作により画像を検索し易いように分類して表示する操作性が高いことが望まれる。  
本発明は上述した点に鑑みてなされたもので、簡単な操作により画像を検索し易いように分類して表示することができる画像再生装置及び画像表示制御方法を提供することを目的とする。
【課題を解決するための手段】
【０００５】
本発明は撮影された画像を記録する記録部と上記画像を表示する表示部とを有する画像再生装置であって、
上記画像再生装置の保持を検出した状態における上記画像再生装置に印加される振動を検出する振動検出部と、
上記振動検出部により予め設定された特定の振動の印加を検出した場合、上記表示部に表示される画像を分類して表示する表示制御部と、
を備えたことを特徴とする。
【０００６】
本発明は撮影された画像を表示する表示部を有する画像再生装置であって、
上記表示部が設けられた画像再生装置の外装体に印加される振動を検出する振動検出部と、
上記振動検出部により特定の振動の検出結果に基づき、上記表示部に表示される画像を、該画像の分類に応じて上記表示部における所定位置に配置する表示制御部と、
を具備することを特徴とする。
【０００７】
本発明の画像表示制御方法は、ユーザが画像再生装置を保持しているか否かを検出する第１のステップと、
上記画像再生装置に印加される振動を検出する第２のステップと、
ユーザが上記画像再生装置を保持しているとの検出状態において、予め設定された特定の振動の印加を検出した場合、撮影された画像を、該撮影された画像の分類に応じて表示部における複数の所定位置に配置して表示する第３のステップと、
を具備することを特徴とする。
【発明の効果】
【０００８】
本発明によれば、画像再生装置を保持して振動を加える簡単な操作により画像を検索し易いように分類して表示することができる。
【図面の簡単な説明】
【０００９】
【図１】図１は本発明の画像再生装置の第１の実施形態のカメラの内部構成を示すブロック図。
【図２】図２はカメラの前面側を示す斜視図。
【図３】図３はカメラの背面側を示す斜視図。
【図４Ａ】図４Ａは加速度センサの概略の構造を示す図。
【図４Ｂ】図４Ｂは加速度センサに右方向に叩く振動を印加した場合の電極間の容量変化の波形変化を示す図。
【図４Ｃ】図４Ｃは図４Ｂと逆方向に叩く振動を印加した場合の電極間の容量変化の波形変化を示す図。
【図４Ｄ】図４Ｄはそれぞれ直交する３方向に振動検出用の加速度センサが設けられていることを示す図。
【図５】図５は第１の実施形態におけるカメラ制御の制御手順の１例を示すフローチャート。
【図６】図６は図５の画像分類の処理手順の１例を示すフローチャート。
【図７Ａ】図７Ａは図６の画像分類による分類例を示す図。
【図７Ｂ】図７Ｂは図７Ａの画像分類の際の画像を分割して、顔の位置及び大きさにより分類する説明図。
【図８】図８は図６の揺動有りの処理の詳細な処理手順の１例を示すフローチャート。
【図９】図９は図６の揺動分類の処理の詳細な処理手順の１例を示すフローチャート。
【図１０Ａ】図１０Ａはユーザがカメラを右手で保持して撮影した画像を鑑賞している様子を示す図。
【図１０Ｂ】図１０Ｂは図１０Ａの場合に表示部の表示画面に表示される画像を示す図。
【図１０Ｃ】図１０Ｃは図１０Ｂの状態において揺動操作が行われた場合に表示部の表示画面に表示される画像を示す図。
【図１０Ｄ】図１０Ｄは図１０Ｃの状態において揺動操作が行われた場合に表示部の表示画面に表示される画像を示す図。
【図１０Ｅ】図１０Ｅは図１０Ｄの状態において揺動操作が行われた場合に表示部の表示画面に表示される画像を示す図。
【図１０Ｆ】図１０Ｆは図１０Ｅの状態においてタップ操作が行われた場合に表示部の表示画面に整列表示される画像を示す図。
【図１１】図１１は第１の実施形態の変形例の再生モードにおける所定値以上の振動の印加による画像分類表示を行う処理手順の１例を示すフローチャート。
【図１２】図１２は本発明の第２の実施形態の再生モードにおける振動を利用して画像分類表示を行う処理手順の１例を示すフローチャート。
【図１３Ａ】図１３Ａは再生モードにおいて表示部の表示画面に最後に撮影した画像を表示した状態を示す図。
【図１３Ｂ】図１３Ｂは図１３Ａの状態から３回の揺動検出により４枚の画像をサムネイル表示した表示例を示す図。
【図１３Ｃ】図１３Ｃは４枚以上の画像の場合、類似する類似画像毎に４角の領域に分類して表示した表示例を示す図。
【図１３Ｄ】図１３Ｄは図１３Ｃの状態においてタッチにより選択された画像を拡大表示した表示例を示す図。
【図１４】図１４は図１２における類似画像を揃えて表示する処理手順を示すフローチャート。
【図１５】図１５は本発明の第３の実施形態の再生モードにおける振動を利用して画像分類表示を行う処理手順の１例を示すフローチャート。
【図１６Ａ】図１６Ａは４枚を超える場合において揺動有りと判定された場合における類似画像を分類して表示する様子を示す図。
【図１６Ｂ】図１６Ｂはタップの操作により４枚を超える類似画像を整列表示した表示例を示す図。
【図１７】図１７は本発明の第４の実施形態のカメラの内部構成を示すブロック図。
【図１８】図１８は第４の実施形態の再生モードにおける振動を利用して画像分類表示を行う処理手順の１例を示すフローチャート。
【図１９Ａ】図１９Ａは４枚を超える場合において揺動有りと判定された場合における類似画像を分類して表示する様子を示す図。
【図１９Ｂ】図１９Ｂはタップの操作により４枚を超える類似画像を整列表示した表示例を示す図。
【図２０】図２０は第５の実施形態の再生モードにおける振動を利用して画像分類表示を行う処理手順の１例を示すフローチャート。
【図２１Ａ】図２１Ａは４枚を超える場合において揺動有りと判定された場合における類似画像を分類して表示する様子を示す図。
【図２１Ｂ】図２１Ｂはタップの操作により４枚を超える類似画像を整列表示した表示例を示す図。
【発明を実施するための形態】
【００１０】
以下、図面を参照して本発明の実施形態を説明する。  
【００１１】
（第１の実施形態）
図１に示す本発明の画像再生装置としての第１の実施形態の撮影機能を備えた撮影装置としてのカメラ１は、図２に示すように箱型形状である。このカメラ１の外装体としてのケース２の前面の中央付近には、被写体を撮像（撮影）する撮像部３を構成するレンズ４が設けられている。  
このレンズ４の結像位置には、ＣＣＤ等の撮像素子が配置されており、レンズ４と撮像素子とにより図１の撮像部３が形成される。この撮像部３により撮像された撮像信号は、図１に示す画像処理と制御を行う画像処理＆制御部５に入力される。  
画像処理＆制御部５は、撮像信号に対する画像処理を行い、画像信号を生成して表示部６に出力する。表示部６は、画像信号に対応する画像を表示する。
【００１２】
また、図３に示すようにケース２の上面における右寄りの位置には撮影操作を行うレリーズボタン７が設けられている。このレリーズボタン７が操作されると、撮像部３により撮像された画像が、撮影された画像として記録される。  
また、このケース２の背面側には、撮像された画像又は撮影された画像を表示する表示部６の機能を有すると共に、タッチによる操作を受け付けるタッチパネル８が、背面の全面よりも若干小さい矩形サイズで形成されている。  
このタッチパネル８は、表示部６を形成する例えば液晶パネルの内面（裏面）側に例えばマトリックス状に配置され、タッチによる操作位置を検出するための受光素子アレイを備える。受光素子アレイは、その表面側からの入射光量を検出する。ユーザがタッチパネル８にタッチする操作をした際には、操作前の入射光量と変化する。
【００１３】
換言すると、操作された位置の受光素子への入射光量は、操作されていない周囲の入射光量と異なる入射光量となる。このため、操作された位置を受光素子アレイにより検出することができる。  
タッチパネル８（を構成する受光素子アレイ）の検出信号は、図１に示す操作判定部９を介して画像処理＆制御部５に入力される。また、レリーズボタン７等を含む操作部１１による操作信号も操作判定部９を介して画像処理＆制御部５に入力される。  
操作判定部９は、ユーザがタッチパネル８をタッチした位置（タッチ位置）を検出してその位置に対応する判定信号を画像処理＆制御部５に出力する。なお、タッチパネル８はタッチ（保持）位置を検出するタッチ（保持）位置検出部を形成する。また、このタッチ（保持）位置検出部は、タッチ（保持）の有無を検出するタッチ（保持）検出部の機能を持つ。
【００１４】
また、操作判定部９は、ユーザによる操作部１１における各種の操作を判定し、操作判定結果を画像処理＆制御部５に送る。  
画像処理＆制御部５は、操作判定結果に対応した制御を行う。タッチパネル８又は操作部１１には、撮影された画像を再生して表示する再生モード等に設定する各種の操作ボタンが設けられている。  
なお、タッチパネル８の検出信号を直接、画像処理＆制御部５に入力し、画像処理＆制御部５がタッチパネル８のタッチ位置の操作に対応した操作判定を行い、さらに操作判定結果に対応した制御を行うようにしても良い。  
画像処理＆制御部５には記録部１２が接続され、撮影操作が行われた場合には、画像処理＆制御部５は撮像部３により撮像された画像を記録部１２に記録する。
【００１５】
画像処理＆制御部５には、カメラ１の外装体としてのケース２に印加される振動（加速度）を検出する振動（加速度）検出部１３（以下振動検出部１３）が接続され、振動検出部１３は、後述する加速度センサを用いてカメラ１に働く加速度からカメラ１に印加される振動を検出して画像処理＆制御部５に出力する。  
画像処理＆制御部５には顔等検出部１４が接続され、顔等検出部１４は撮像部３により撮像された画像が顔を含むか否かを検出する顔検出と、顔以外の風景等を検出して画像処理＆制御部５に出力する。  
画像処理＆制御部５には、時計の情報を出力する時計部１５が接続され、撮影操作等が行われた場合には画像処理＆制御部５は、記録部１２に記録する画像に撮影日時の情報を追加して記録する。
【００１６】
また、本実施形態に係るカメラ１における画像処理＆制御部５は、撮影した各画像を分類する画像分類部５ａと、分類した画像を表示部６に表示する表示形態を制御する表示制御部５ｂとを有する。  
この画像分類部５ａによる分類された画像分類情報（分類情報ともいう）は、撮影された各画像に関連付けて記録部１２における例えば画像分類情報記録領域（図１では画像分類情報記録と略記）１２ａに記録される。  
また、画像処理＆制御部５は、例えばＣＰＵを用いて構成され、この画像処理＆制御部５が行う制御プログラムは、ＲＯＭ１６に格納されている。そして、カメラ１の電源が投入（ＯＮ）された場合、画像処理＆制御部５は、ＲＯＭ１６の制御プログラムに従ってカメラ１を構成する各部の制御動作を行う。
【００１７】
図４Ａは上記振動検出部１３を構成する加速度センサ１８ａの構造を示す。この加速度センサ１８ａは、以下に説明するように半導体チップ基板１９ａの表面に設けた固定電極１９ｂ、１９ｃに対して、移動可能な電極１９ｄを架橋する如くに設けている。  
そして、この加速度センサ１８ａに印加された加速度によって、架橋された電極１９ｄが移動することにより、固定電極１９ｂと電極１９ｄ間、固定電極１９ｃと電極１９ｄ間の容量変化が発生する。容量変化又は電圧変化をモニタすることにより、加速度を検出することができる構造になっている。  
この加速度センサ１８ａは、半導体チップ基板１９ａの表面に左右対称に２箇所づつ、表面から突出する支持部が形成され、その上面に帯状の電極の端部がそれぞれ固定されている。
【００１８】
また、左右に配置された２つの帯状の電極は、その中央を掛け渡すように左右方向に延びる帯状の電極で架設されている。また、この帯状の電極の中央には左右方向と直交する縦方向に延びる電極１９ｄが形成されている。  
また、半導体チップ基板１９ａの表面における電極１９ｄに対向する位置から左右方向に所定距離だけそれぞれずれた位置に固定電極１９ｂ、１９ｃが形成されている。  
また、電極１９ｄ、固定電極１９ｂ、１９ｃはそれぞれ信号線１９ｅと電気的に導通する。  
この場合、この加速度センサ１８ａに左右方向の加速度が作用しない状態においては、電極１９ｄと固定電極１９ｂの容量と、電極１９ｄと固定電極１９ｃの容量とは等しくなるように設定されている。
【００１９】
例えばこの加速度センサ１８ａが設けられた半導体チップ基板１９ａに対してユーザが右側から指で叩く等のタップ（叩く）操作をして右方向に加速度を印加して（その加速度の印加を）止めると、電極１９ｄと固定電極１９ｂにおいては、その容量が最初大きくなった後、止まる直前に小さくなる。  
これに対して、電極１９ｄと他方の固定電極１９ｃの場合には、その容量変化は、逆になる。図４Ｂは、この場合の電極１９ｄと固定電極１９ｂ間の容量変化又は電圧変化の例を示す。  
また、この半導体チップ基板１９ａに対してユーザが左側からタップ操作をして左方向に加速度を印加して止めると、固定電極１９ｂと電極１９ｄにおいては、その容量が最初小さくなった後、止まる直前に大きくなる。図４Ｃは、この場合の電極１９ｄと固定電極１９ｂ間の容量変化又は電圧変化の例を示す。
【００２０】
従って、これら電極間の容量をモニタすることにより、左右のいずれの方向に印加される加速度及びその大きさを検出することができる。  
本実施形態においては、図４Ｄに示すようにカメラ１における３箇所にそれぞれ配置された加速度センサ１８ａ、１８ｂ、１８ｃは、それぞれ水平（横）方向、垂直（縦）方向、及び奥行き方向（レンズ４の光軸に平行な方向）に働く加速度を検出する。  
そして、３つの加速度センサ１８ａ，１８ｂ、１８ｃの検出信号からこのカメラ１に働く加速度変化を伴うタップ、揺動（シェイク）などの振動を３次元的に検出することができるようにしている。  
３つの加速度センサ１８ａ、１８ｂ、１８ｃの検出信号は、振動検出部１３内の振動検出回路に入力される。この振動検出回路は、加速度を検出すると共に、加速度の変化からタップ、揺動などの振動を検出し、検出信号を画像処理＆制御部５に出力する。
【００２１】
各加速度センサ１８ａは、重力の加速度を検知することが可能であるので、カメラ１がどちらに向けられているかを判定することも可能となる。例えば、図４Ｄにおいて加速度センサ１８ａが水平面と平行であると、電極１９ｄの端部側は重力の加速度により下方に垂れ下がるように変形する。  
このため、加速度センサ１８ａの固定電極１９ｂと電極１９ｄとの容量は、重力方向に平行に配置された加速度センサ１８ｂの場合よりも大きくなる。このように振動検出部１３による重力の加速度の検出機能を利用して、後述するように画像処理＆制御部５は、表示部６の表示画面が除外すべき例えば下向きであるか否かの判定に利用する。  
但し、ユーザが寝ころんで見る（鑑賞する）場合を考慮して、下向きの場合も除外しないようにしても良い。この場合には、表示画面が下向きでもカメラ１に揺動が与えると、画像処理＆制御部５は、その揺動に対応した処理を行う。  
本実施形態は、上述したように撮影した各画像に対して、分類するための画像分類情報（分類情報ともいう）を付加して記録部１２に記録している。
【００２２】
そして、画像処理＆制御部５は、再生モードに設定されて撮影した画像を表示する場合、振動検出部１３の検出を利用して、ユーザがカメラ１に対して特定の振動の印加がされているか否かを判定する。  
そして、画像処理＆制御部５は、特定の振動としての例えば揺動（シェイク）を検出した場合、画像分類情報を利用して、その分類に応じて表示部６に表示する画像を、この表示部６の表示画面における周辺部等の複数の所定位置に、移動（配置）して表示する制御動作を行う。  
このような表示形態を利用できるようにすることにより、簡単な操作により、検索し易いように画像を分類して表示部６に表示し、良好な操作性を実現することができるようにしている。
【００２３】
また、本実施形態においては、特定の振動の印加の検出結果に基づき、表示制御部５ｂは、画像分類情報に対応した分類に応じて、撮影された画像を縮小して表示部６における類似する画像を集合させて複数の所定位置に配置して表示すると共に、さらに特定の振動とは異なる、タップ等の第２の振動の検出に対応した表示制御を行う。  
そして、画像処理＆制御部５の表示制御部５ｂは、振動検出部１３を用いてこの第２の振動を検出した場合には、複数の所定位置に配置して表示していた画像を表示部６の表示画面において整列表示する等、特定の振動の印加を検出した場合の表示制御とは異なる画像表示形態で表示させる。
【００２４】
次に図５を参照して本実施形態に係る画像処理＆制御部５によるカメラ１の制御動作を説明する。カメラ１の電源がＯＮにされることにより、カメラ１に対する制御動作が開始する。最初のステップＳ１において、画像処理＆制御部５は、電源ＯＦＦの操作がされた否かを判定し、この操作が行われた場合には電源をＯＦＦにしてこの制御動作を終了する。  
一方、電源がＯＦＦにされていない場合には、次のステップＳ２において画像処理＆制御部５は、撮影モードに設定されているか否かの判定を行う。撮影モードに設定されている場合には、ステップＳ３において画像処理＆制御部５は、顔等検出部１４を動作させて顔等の検出を行う。  
さらに次のステップＳ４において画像処理＆制御部５は、露出演算を行う。その後この露出状態においてステップＳ５に示すように画像処理＆制御部５は、撮像部３により撮像した画像を表示部６でスルー画像として表示を行うように制御する。
【００２５】
次のステップＳ６において画像処理＆制御部５は、レリーズ操作が行われたか否かを判定する。レリーズ操作が行われない場合には、ステップＳ１に戻る。  
一方、レリーズ操作が行われた場合には、ステップＳ７において画像処理＆制御部５は、撮影及び記録処理を行う。つまり、画像処理＆制御部５は、レリーズ操作が行われた時の画像を記録部１２に記録する。  
次のステップＳ８において画像処理＆制御部５は、画像分類部５ａにより、画像分類の処理を行う。この画像分類の処理は図６にて後述する。  
画像分類の後、次のステップＳ９において画像処理＆制御部５は、分類結果の情報としての画像分類情報を記録部１２の画像分類情報記録領域１２ａに記録する。画像処理＆制御部５は、ステップＳ１２の処理後にステップＳ１の処理に戻る。
【００２６】
一方、ステップＳ２において撮影モードでない判定の場合には、ステップＳ１０において画像処理＆制御部５は、再生モードに設定されたか否かを判定する。再生モードでない場合には、画像処理＆制御部５は、ステップＳ１の処理に戻る。  
再生モードに設定された場合には次のステップＳ１１において画像処理＆制御部５は、記録部１２に最後に記録された最終画像を表示部６で表示する制御を行う。次のステップＳ１２において画像処理＆制御部５は、その他の表示（ボタン）操作がされたか否かを操作判定部９を介して判定する。  
表示操作がされた場合には、次のステップＳ１３に示すように画像処理＆制御部５は、サムネイル画像（単にサムネイルと略記）を表示する操作か否かの判定を行う。
【００２７】
サムネイルの表示の操作の場合には、次のステップＳ１４において画像処理＆制御部５は、サムネイルの表示を行う。次のステップＳ１５において画像処理＆制御部５は、サムネイル表示状態においてタッチパネル８のタッチや十字キーなどによる選択の操作が行われたか否かを判定する。  
選択の操作が行われていない場合には画像処理＆制御部５は、ステップＳ１２の処理に戻り、選択の操作が行われた場合には、ステップＳ１６に示すように選択されたサムネイルを拡大して表示する。ステップＳ１６の処理の後、画像処理＆制御部５は、ステップＳ１２の処理に戻る。  
また、ステップＳ１３においてサムネイルを表示する操作でない場合には、ステップＳ１７に示すように画像処理＆制御部５は、次の画像を表示する制御を行った後、ステップＳ１２の処理に戻る。
【００２８】
また、ステップＳ１２において表示ボタン操作でないと判定した場合にはステップＳ１８に示すように画像処理＆制御部５は、振動検出部１３を介してユーザによりカメラ１を、特定の振動操作としての例えば揺動操作したか否かの判定を行う。  
なお、ステップＳ１８の揺動操作の有無の判定処理は図８にて後述するが、少なくとも１回の振動回数を超える振動の有無の判定によって揺動であるか否かを判定する。  
画像処理＆制御部５は、揺動でないと判定した場合（この場合にも揺動に至らない振動の場合を含む）にはステップＳ２０の処理に移る。  
逆に、揺動であると判定した場合には画像処理＆制御部５は、ステップＳ１９に示すように画像分類情報を参照して、揺動操作に対応した揺動分類表示の処理を行った後、ステップＳ２０の処理に進む。なお、ステップＳ１９の揺動分類表示の処理は、図９にて説明する。
【００２９】
ステップＳ２０において画像処理＆制御部５は、振動又は揺動が終了したか否かを判定し、終了していない場合には、ステップＳ１５に戻る。そして、選択の操作がされていないと、画像処理＆制御部５は、ステップＳ１２の処理に戻る。  
一方、ステップＳ２０において、振動検出部１３を介して揺動操作が終了と判定した場合には画像処理＆制御部５は、ステップＳ１の処理に戻る。  
上述したようにステップＳ１８において揺動操作を検出すると、画像処理＆制御部５は、揺動操作により、記録部１２に記録された画像分類情報を参照して、表示部６に表示する画像を分類して類似する画像毎にそれぞれ対応する所定の位置に集合させて表示する揺動分類表示の処理を行う。
【００３０】
このため、ユーザは、面倒な操作を行うことなく、単にカメラ１を揺動する操作を行うことにより、表示部６に表示される撮影された画像を分類して表示させることができ、画像の検索等を行い易くなる。  
次に図６を参照して画像処理＆制御部５（の画像分類部５ａ）によるステップＳ８の画像分類の処理を説明する。また、図７Ａは、この分類の処理により分類された例を示し、記録部１２には記録される画像と関連付けて画像分類情報が画像分類情報記録領域１２ａに記録されることになる。  
また、図７Ｂの左側は、撮影された画像を分割して顔画像を認識するための説明図を示し、その右側は、大きさＤ１〜Ｄ３で分類する説明図を示す。
【００３１】
また、以下に説明するように画像分類の処理を行う場合、画像処理＆制御部５は、撮影の際のピント合わせ部の信号なども利用して、被写体の距離を利用したり、画像の色情報を利用したり、顔等検出部１４の顔検出結果を利用する。  
そして、画像分類部５ａは、この画像分類の処理を、画像に顔があるか否か、顔の大きさやその数、顔の特徴などの情報に従って、スナップ（人物が全身で背景も多く含む画像）、ポートレート（顔の表情などを中心としたもの）、花、小物、ペット、風景などを判定する。  
本実施形態においては、よく撮影されるシーンを想定して大雑把に分類する。但し、この分類に限定されるものでない。
【００３２】
図６の処理が開始すると、最初のステップＳ２１において画像処理＆制御部５は、撮影した画像に顔等検出部１４を介して顔有りか否かの判定を行う。この判定により人物の画像か否かに大別する。  
顔有りと判定した場合には次のステップＳ２２において画像処理＆制御部５は、顔の大きさが大きいか否かの判定を行う。大きいと判定した場合には次のステップＳ２３において画像処理＆制御部５は、ポートレートであると判定し、大きくないと判定した場合にはステップＳ２４に示すようにスナップであると判定して次のステップＳ２５に進む。  
ステップＳ２５において画像処理＆制御部５は、顔の数、位置、大きさ、特徴等を記録部１２の画像分類情報記録領域１２ａに記録する。
【００３３】
一方、ステップＳ２１において顔でない判定結果の場合にはステップＳ２６において画像処理＆制御部５は、画面中央部など、画面の主要な色を判定する。  
また、次のステップＳ２７において画像処理＆制御部５は、主にピント合わせ時の距離情報からその画像が遠距離か否かの判定を行う。遠距離であると判定した場合にはその画像は、ステップＳ３０に示すように画像処理＆制御部５は、風景と分類する。  
ステップＳ２７において遠距離でない判定の場合には、ステップＳ２８において画像処理＆制御部５は、その画像が至近距離であるか否かの判定を行う。至近距離でないと判定した場合には、ステップＳ３１において画像処理＆制御部５は、その画像がペットであると分類する。
【００３４】
一方、ステップＳ２８において至近距離であると判定した場合にはステップＳ２９において画像処理＆制御部５は、鮮やかな彩度があるか否かの判定を行う。彩度が無いと判定した場合には画像処理＆制御部５は、ステップＳ３２に示すようにその画像は小物であると分類する。  
また、ステップＳ２９において彩度があると判定した場合には画像処理＆制御部５は、ステップＳ３２に示すように花であると分類する。ステップＳ２５，ステップＳ３０〜Ｓ３２の処理の後、図５のステップＳ９の処理に進み、撮影した各画像に関連付けて分類結果の画像分類情報を記録する。  
このように撮影した各画像を、単に時計や場所情報のみならず、図６のようなフローチャートのように、カテゴリー分けしておくことによって、検索して表示する場合の効率化が図れることになる。
【００３５】
例えば、ペット画像を探す場合などは、ユーザはこのペットに分類された画像から探せば早く見つけることができる。  
このように、各画像ごとに分類結果を、例えばグラフ化して示すと、図７Ａのようになる。図７Ａにおいては、画像１〜画像５までの場合に対して、分類結果や顔の数、主要色や、顔の位置と、特徴、大きさが分類されて、画像分類情報として日時、場所情報と共に記録される。  
この場合、図７Ｂのように画面を例えば９分割し、各分割位置（Ａ１〜Ａ９）にある顔画像を、その右側の図のように大きさＤ１〜Ｄ３で分類し、顔のパターン（所定パターンのものは、Ｐ−Ａ、Ｐ−Ｂ、判定不能なものはＰ−Ｘとした）と一緒に、記録する。
【００３６】
所定パターンについては、例えば、家族の画像をあらかじめ登録しておくようにして、それと比較して分類すればよい。  
登録されたものに対応した場合はＰ−Ａ、Ｐ−Ｂ…と分類し、対応しない場合は、Ｐ−Ｘに分類する。また、本実施形態の特色として、顔の下の部分（これを服装と見なす）の色やパターンも画像ごとに特徴を記録している。  
例えば、図７Ａにおける画像１は、分類結果としてスナップと判定され、この場合顔の数は２つで、主要色は緑であると分類される。また、２つの顔は、図７ＢにおけるＡ４とＡ６の位置において検出されている。  
また、Ａ４，Ａ６の位置における顔は登録されたパターンと登録されていないものであり、それぞれの大きさはそれぞれＤ２，Ｄ３であるという具合に分類される。
【００３７】
このような画像分類結果の画像分類情報を各画像に関連付けた画像関連情報として記録部１２に記録しておくと、ユーザは、画像検索を迅速、効率的にできる。  
上述したような単純な分類だけでも、顔画像を探す場合は、ステップＳ３０〜Ｓ３２に分類された画像は、探す対象から外せるので、検索の効率化が可能となる。このように図７Ａに示す表のような画像分類情報が、図１の画像分類情報記録領域１２ａに記録される。  
また、本実施形態においては、撮影した画像を表示部６の表示画面に表示する再生モードの場合において、ユーザにより振動を利用した分類して表示する（指示）操作としての揺動の操作が行われた場合には、画像分類情報を利用して表示部６に表示する画像を分類して表示する。
【００３８】
次に図８を参照して図５のステップＳ１８の揺動（操作）の判定処理を説明する。この揺動の判定処理が開始すると、ステップＳ４１に示すように画像処理＆制御部５は、振動検出部１３を構成する３つの加速度センサ１８ａ〜１８ｃからの検出結果により、カメラ１の表示部６の表示画面の向き（つまり、ユーザが表示画面を見る場合の表示画面の向き）が下側でないか否かの判定を行う。  
カメラ１の表示画面の向きが下側であると判定した場合には画像処理＆制御部５は、この処理を終了して図５のステップＳ２０に移る。表示画面（の向き）が下側であると、通常の使用状態では、表示画面を観察することが困難であるので、揺動の判定を行う条件からこの状態を除外する（なお、後述するようにこの処理の動作のＯＮ／ＯＦＦを選択できるようにしても良い）。  
逆にカメラ１の表示画面が下側でないと判定した場合には、揺動の判定を行う条件に該当するとして、次のステップＳ４２において画像処理＆制御部５は、振動検出部１３を用いて振動の有無の判定を行う。
【００３９】
カメラ１の表示画面が下向きでない状態において、振動の有無を判定する変形例として、画像処理＆制御部５は、カメラ１における少なくとも一面の方向を変更しない状態において、（カメラ１に揺動が印加されたか否かを検出するための）振動の有無の判定を行うようにしても良い。  
このようにすると、ユーザが表示画面を見て揺動操作を行っているか否かを、より確実に判定することが可能となり、ユーザの意図しない揺動操作を排除することができる。なお、ユーザによる広い使用形態に対応できるように、ステップＳ４１の処理を行うか否かを、例えばユーザが選択設定できるようにしても良い。例えば寝ながら鑑賞することがあるユーザは、ステップＳ４１の処理機能をＯＦＦに設定すれば良い。  
ステップＳ４２において振動が無いと判定した場合には、この処理を終了して図５のステップＳ２０に移り、逆に振動有りと判定した場合にはステップＳ４３において画像処理＆制御部５は、１回目の振動か否かの判定を行う。  
１回目の振動と判定した場合には、ステップＳ４４において画像処理＆制御部５は、その振動方向とその大きさを画像処理＆制御部５内部のメモリなどに記憶する。画像処理＆制御部５は、このステップＳ４４の後、図５のステップＳ２０に進む。
【００４０】
一方、ステップＳ４３において１回目でないと判定した場合には画像処理＆制御部５は、ステップＳ４５において１回目と同じ振動であるかの判定を行う。１回目と同じ振動であると判定した場合には、ステップＳ４６において画像処理＆制御部５は、揺動と判定する。  
上記のようにこの画像処理＆制御部５は、振動検出部１３を用いて振動を検出した場合、最初の振動（１回目の振動）の情報を例えばメモリに記憶する（ステップＳ４２）。なお、画像処理＆制御部５は、振動検出部１３により予め設定された閾値を超える振動量を検出した場合に、振動として検出（判定）する。
【００４１】
１回目の次に振動を検出した場合には、その振動がメモリに記憶した１回目の振動と略同じ振動であるか否かの判定を行い（ステップＳ４５）、同じ振動であると判定した場合には揺動の操作と判定する（ステップＳ４６）。  
１回目のみの振動の場合には、揺動と判定しないし、次の振動が１回目と大きく異なる場合には揺動と判定しない。なお、振動を検出する場合の１つの振動単位は、適宜に可変設定することができる。  
例えば、図４Ｂ又は図４Ｃに示す波形の信号が検出された場合に、１回目の振動として検出する。２回目の振動を検出する場合には、例えば１回目よりも数１０％程度で振幅が異なる場合においても、その波形が類似している場合には、同じ振動と判定する。
【００４２】
なお、２回目の振動は、図４Ｂ又は図４Ｃの波形の前半分程度が１回目の前半分と略同じ波形である場合には、揺動（有り）と判定するようにしても良い。  
画像処理＆制御部５は、ステップＳ４６により揺動と判定した後、図５のステップＳ１９の処理に進み、揺動操作に対応した撮影された画像の分類表示の処理としての揺動分類表示の処理を行う。  
なお、図５に示すようにステップＳ１８において画像処理＆制御部５は、揺動と判定した場合には、次のステップＳ１９において揺動分類表示の処理を行った後、再びステップＳ１に戻る。このため、同じ揺動の操作が繰り返された場合には、画像処理＆制御部５は、揺動操作の繰り返しに応じて揺動分類表示の処理を繰り返す。
【００４３】
従って、ユーザが揺動の操作を高速で行った場合には、画像処理＆制御部５は、ステップＳ１９の揺動分類表示の処理を高速で行う。逆にユーザが揺動の操作を低速で行うと、画像処理＆制御部５は、ステップＳ１９の揺動分類表示の処理を低速で行う。  
なお、後述する図１１で説明するように振動強度（揺動強度）に応じて揺動分類表示の処理の速度を変更できるようにしても良い。  
一方、ステップＳ４５において１回目と同じ振動でないと判定した場合にはステップＳ４７において画像処理＆制御部５は、所定時間が経過したかの判定を行う。  
この場合、画像処理＆制御部５は、振動検出部１３を介して振動を検出した場合には、時計部１５の時計情報を参照する。
【００４４】
画像処理＆制御部５は、１回目の振動を検出（判定）後に、予め設定された所定時間が経過したか否かを判定することにより、ユーザが１回目の振動に引き続いて同じ振動の操作を行ったか、時間的に別の振動操作であるかの判定を行う。  
所定時間が経過していない場合にはこの処理はステップＳ４１の処理に戻り、揺動の判定を続行する。一方、所定時間が経過した場合には、ステップＳ４８に示すように画像処理＆制御部５は、ステップＳ４４によるメモリに記憶した１回目の振動の情報をリセットして図５のステップＳ２０の処理に移る。  
次に、図８のステップＳ４６において揺動と判定した場合に行われる図５のステップＳ１９の揺動分類表示の処理を図９を参照して説明する。
【００４５】
揺動と判定した場合には、図９に示すように最初のステップＳ５１において画像処理＆制御部５は、次の画像有りか否かの判定を行う。  
揺動と判定した時に、さらに表示部６の表示画面に表示されている画像の次の表示順序の画像有りと判定した場合には画像処理＆制御部５は、次のステップＳ５２に進み、次の画像が無い場合にはステップＳ５５に飛ぶ。  
次のステップＳ５２において画像処理＆制御部５は、表示中の画像を縮小する。次のステップＳ５３において画像処理＆制御部５は、類似画像が有るか否かの判定を行う。  
類似画像があると判定した場合には次のステップＳ５４において画像処理＆制御部５は、類似画像上に上記縮小した画像を重ね、次のステップＳ５５に進む。
【００４６】
ステップＳ５３において類似画像が無いと判定した場合にはステップＳ５６において画像処理＆制御部５は、表示画面に空き周辺部有りか否かの判定を行う。  
空き周辺部有りと判定した場合にはステップＳ５７において画像処理＆制御部５は、縮小した画像を空き周辺部に移動する。  
一方、ステップＳ５６において空き周辺部無しと判定した場合にはステップＳ５８において画像処理＆制御部５は、類似画像群に纏める。  
なお、縮小した画像を移動して表示する位置（領域）を、記録部１２に予め分類した画像分類情報に応じて設定しても良い。その場合には、移動して表示される位置は、画像分類情報に応じた所定位置として決まることになる。  
画像処理＆制御部５は、ステップＳ５４，Ｓ５７，Ｓ５８の処理の後、ステップＳ５５の処理に移る。ステップＳ５５において画像処理＆制御部５は、ユーザがカメラ１にタッチしているタッチ位置の左右を判定する。
【００４７】
つまり、画像処理＆制御部５は、タッチパネル８を介してユーザがカメラ１の例えば右端付近或いは左端付近のいずれをタッチしているかを判定する。  
ステップＳ５５の次となるステップＳ５９において画像処理＆制御部５は、振動検出部１３を介してタッチ位置と反対方向に鋭い加速有りか否かの判定を行う。具体的には、画像処理＆制御部５は、ユーザがカメラ１に対して、揺動とは区別して検出できる振動形態としての例えばタップ（叩く）操作をしたか否かを判定する。  
この場合の判定は、例えば揺動有りか否かを検出する場合の閾値を第１の閾値とすると、この第１の閾値大きな振幅の振動を検出する第２の閾値が用いられる。そして、この第２の閾値を超える振動が検出された場合には、鋭い加速有りと判定する。このステップＳ５９は、振動を利用した整列表示させるための操作判定である。
【００４８】
なお、このステップＳ５９の前のステップＳ５８は、タッチパネル８を介して画像処理＆制御部５は、ユーザがカメラ１にタッチしているタッチ位置の判定を行っているが、実質的にはユーザがカメラ１を保持している保持位置を検出する。  
つまり、ステップＳ５９は、ユーザがカメラ１を保持している状態において、画像処理＆制御部５は、振動検出部１３を介して保持している位置と反対方向に鋭い加速有りか否かの判定を行う。なお、保持している状態でのステップＳ５９の鋭い加速有りをより確実に判定するために、この鋭い加速有りの判定後に、再度ステップＳ５５のタッチ位置又はタッチ有りかの判定を行うようにしても良い。そして、再度のタッチ位置又はタッチ有りの判定ができた場合には保持されていることの判定ができることになる。  
例えば、ユーザがカメラ１の右端を保持している状態においては画像処理＆制御部５は、振動検出部１３を介して左方向に鋭い加速有りか否かの判定を行う。  
鋭い加速が有りと判定した場合には次のステップＳ６０において画像処理＆制御部５は、最近画像の例えばｎ×ｎ（ｎは２以上の整数）の整列（表示）を行った後、図５のステップＳ２０に移る。
【００４９】
一方、ステップＳ５９において画像処理＆制御部５は、タッチ位置（保持位置）と反対方向に鋭い加速が無いと判定した場合には、ステップＳ６０の処理を行うこと無く、図５のステップＳ２０の処理に移る。  
図１０Ａ〜図１０Ｆは、図９のフローチャートの動作説明図を示す。図１０Ａはユーザ３１がカメラ１を右手３２Ｒで保持して撮影した画像を鑑賞している様子を示す。  
この場合のカメラ１の表示部６の表示画面における、１つの画像３３の表示例を図１０Ｂに示す。そして、図１０Ｂの状態において、ユーザ３１がカメラ１を揺動する操作を行うと、画像処理＆制御部５は、その揺動の操作を振動検出部１３を介して判定する。  
揺動有りと判定した場合、上記のようにステップＳ５１において次の画像有りか否かの判定が行われる。
【００５０】
図１０Ｂの場合には次の画像３４が有りの場合であるので、ステップＳ５２の処理に従って、前の画像３３が縮小される。この場合、次の画像３４は、図１０Ｃに示すようにほぼ中央に大きいサイズで表示される。  
次のステップＳ５３の処理に対しては、類似画像が無い場合に相当するため、ステップＳ５６の処理が行われ、この場合には画像３３は表示画面の空き周辺部（図１０Ｃでは左上の角）に移動される又は配置される。  
さらに揺動の操作が判定されると、図１０Ｃの画像３４は図１０Ｄに示すように縮小されて例えば表示画面の左下隅に移動（配置）されて、ほぼ中央には次の画像３５が大きいサイズで表示される。
【００５１】
また、さらに揺動の操作が判定されると、図１０Ｄの画像３５は、ステップＳ５３の処理において類似画像有りと判定された場合であり、この場合には、図１０Ｅに示すように縮小された画像３５は、類似する画像３４の上に重ねられる。そして、表示画面のほぼ中央には次の画像３６が大きいサイズで表示される。  
また、図１０Ｅにおいて、ユーザ３１が図１０Ｂで示したようにタッチパネル８の右端付近を右手３２Ｒで保持（タッチ）していると、その右端付近のタッチ位置をタッチパネル８を介して画像処理＆制御部５は判定する。  
そして、ユーザ３１が、その保持状態において、例えばこのカメラ１を鋭く振動させる（又はタップないしは叩く）と、画像処理＆制御部５はその場合の鋭い加速を振動検出部１３を介して検出する。
【００５２】
この場合には、図１０Ｅの表示形態の最近の４つの画像３３〜３６は、画像処理＆制御部５による表示制御部５ｂにより、振動検出部１３を介してタｎ×ｎ（この場合には２×２）に整列されて図１０Ｆのように縮小されたサイズで表示される。このように揺動とは異なる振動操作を利用して、複数の画像を整列させて表示することもできるので、ユーザは周辺部に分類して表示した画像を確認することも簡単にできる。  
なお、図１０Ｆにおいて、ステップＳ５５において判定される右側のタッチ位置（保持位置）Ｐを示す。なお、左利きのユーザの場合にも対応して、タッチパネル８は左側の角付近のタッチ位置を検出する。  
このような動作を有する本実施形態のカメラ１によれば、ユーザ１はカメラ１を保持して単に１回の振動を超える振動を加える操作を行うことにより、画像処理＆制御部５は、撮影された画像を表示部６の表示画面に大きいサイズで順次表示すると共に、表示した前の画像を分類して表示画面における空き周辺部側に順次移動して類似する画像毎に集合するように表示する。
【００５３】
従って、ユーザ３１は、揺動させる簡単な操作を行うのみで、撮影された画像が順次表示されると共に、順次分類して周辺部に縮小表示されるので、ユーザ３１は表示を望む画像を確認することが容易となる。
また、周辺部に縮小表示することにより、撮影された場合の多数の画像を分類して互いに異なる複数の位置に同時に表示することが可能となる。
このように本実施形態のカメラ１によれば、簡単な操作によりユーザ３１が鑑賞したいと望む画像を簡単に検索して表示できる環境を提供でき、ユーザ３１に対する操作性を大幅に向上することができる。  
なお、上述した第１の実施形態の変形例のカメラ１として、図１１のように振動操作により、画像分類情報を利用して表示する制御動作を行うようにしても良い。
【００５４】
この変形例のカメラ１の基本的な構成要素としては、図１における撮像部３により撮影された画像を記録する記録部１２と表示部６とを有し、カメラ１の保持をタッチパネル８を介して検出した状態において、カメラ１に印加される振動を検出する振動検出部１３と、この振動検出部１３により所定値以上等、予め設定された特定の振動の印加を検出した場合、画像を分類して表示する画像処理＆制御部５内の表示制御部５ｂと、を備えている。  
再生モードでの再生動作が開始した場合、図１１の最初のステップＳ６１において画像処理＆制御部５は、撮影された画像における最終画像を表示部６の表示画面に表示する。この場合の表示例は、例えば図１０Ｂと同じである。
【００５５】
次のステップＳ６２において画像処理＆制御部５は、タッチパネル８を介してユーザ３１がカメラ１を保持しているかを判定する。この場合、例えば図１０Ｂに示すようにユーザ３１の右手３２Ｒ等が、タッチパネル８が設けられている部分をタッチしているか否かにより、画像処理＆制御部５は、ユーザ３１がカメラ１を保持しているか否かを判定する。  
保持していないと判定した場合には画像処理＆制御部５は、ステップＳ６１の処理に戻る（ステップＳ６８の他の再生処理に移るようにしても良い）。  
一方、保持していると判定した場合には、次のステップＳ６３において画像処理＆制御部５は、特定の振動の印加の検出ために、例えば所定値以上の振動有りか否かを振動検出部１３を介して判定する。
【００５６】
所定値以上の振動が無い判定結果の場合には、画像処理＆制御部５は、ステップＳ６８の他の再生処理を行う。  
この場合の所定値以上の振動としては、上述した第１の実施形態における振動回数が少なくとも１回を超える場合に揺動有りと判定する方法を採用しても良い。又は、振動の振幅が予め設定した所定値を超える場合には、所定値以上の振動有りと判定するように設定しても良い。例えば、１回のみの振動でもその振幅が大きい場合には、揺動分類表示に相当する画像分類表示を起動させ、それを実行するようにしても良い。  
また、カメラ１又はそのケース２が振動される方向が予め設定された特定の振動方向に該当する場合に、揺動分類表示に相当する画像分類表示を起動させ、それを実行するようにしても良い。
【００５７】
なお、上記ステップＳ６８の他の再生処理としては、例えば図５におけるステップＳ１３のサムネイル表示させる操作有り判断により、ステップＳ１４のサムネイル表示や、ステップＳ１５の選択操作により選択された画像をステップＳ１６のように拡大表示する処理である。  
一方、所定値以上の振動有りと判定した場合には、次のステップＳ６４において画像処理＆制御部５は、振動検出部１３により検出された振動強度を例えば複数段階（ここでは２段階）で判定するために、その振動強度が予め設定された閾値より大きいか否かを判定する。  
その振動強度が閾値を超える場合には、ステップＳ６５において画像処理＆制御部５は、高速の画像分類表示の処理を行う。なお、画像分類表示の処理は、撮影された画像を、その画像の画像分類情報に対応した分類に応じて表示部６の表示画面における複数の所定位置に配置する等、上述した図９の揺動分類表示と同様又は類似の処理を行う。ステップＳ６４においてその振動強度が閾値を超えない場合には、ステップＳ６６において画像処理＆制御部５は、低速の画像分類表示の処理を行う。
【００５８】
ステップＳ６５及びステップＳ６６の処理の後、画像処理＆制御部５は、ステップＳ６３の処理に戻る。  
このような制御動作を画像処理＆制御部５が行うようにしているので、ユーザ３１はカメラ１を保持して、カメラ１を単に所定値以上の振幅等で振動させる操作を行うことにより、撮影された画像を順次表示部６の表示画面に表示させ、その際、前に表示していた画像を縮小して表示画面の空き周辺部に移動（配置）して類似画像の集合として表示させることができる。  
この場合、振動強度を大きくすれば、高速の画像分類表示が行われ、振動強度を小さくすれば低速の画像分類表示が行われる。従って、ユーザ３１は、振動強度を変えることにより、ユーザ３１が望むような速度で画像分類の表示を行うようにできる。
【００５９】
従って、ユーザ３１は、カメラ１を保持して簡単な振動を加える操作を行うのみで、表示部６に表示される画像が順次更新して表示されるので、その画像を確認することができると共に、以前の画像も縮小画像として確認することもできる。  
このため、ユーザ３１が鑑賞したいと望む画像を簡単に検索して表示できる環境を提供でき、ユーザ３１に対する操作性を大幅に向上することができる。
【００６０】
（第２の実施形態）
次に図１２を参照して本発明の第２の実施形態を説明する。本実施形態のカメラ１は、図１に示した構成と同じであり、ＲＯＭ１６に格納された制御プログラムの一部が異なるのみである。具体的には、再生モードにおける画像を分類しながら表示する制御動作が第１の実施形態と異なる。  
次に本実施形態における再生モードの動作を図１２を参照して説明する。また、図１３Ａ〜図１３Ｄは、この場合の動作説明図を示す。  
再生モードに設定されると最初のステップＳ７１において画像処理＆制御部５は、最後に撮影された画像を表示部６の表示画面に表示する。この場合の表示画面を図１３Ａに示す。図１３Ａは画像Ｄ１が表示される例で示している。なお、ステップＳ７１の前に操作方法を表示部６の表示画面に表示するようにしても良い。
【００６１】
次のステップＳ７２においてステップＳ７１において画像処理＆制御部５は、振動検出部１３を介して揺動（又はシェイク）有りか否かの判定を行う。  
なお、この場合の揺動の判定は、第１の実施形態における１回目の振動に続けて所定時間内に２回目の振動が検出されたか否かにより行うようにしても良いし、変形例のように所定値以上の振動が検出されたか否かにより行うようにしても良い。後述する他の実施形態においても同様である。  
揺動有りと判定した場合には次のステップＳ７３において画像処理＆制御部５は、次の複数枚の画像を縮小して表示部６の表示画面に一緒にサムネイル表示する。  
具体的には、１回の揺動により、図１３Ａの画像Ｄ１は縮小されて次の画像との２枚の画像がサムネイル表示され、２回の揺動により、３枚の画像がサムネイル表示され、３回の揺動により４枚の画像がサムネイル表示される。
【００６２】
図１３Ｂは、この場合の表示例を示す。図１３Ｂにおいては、４枚の画像Ｄ１，Ｂ１，Ｂ２，Ａ１が表示される。次のステップＳ７４において画像処理＆制御部５は、次の画像が４枚を超えているか否かの判定を行う。  
４枚を超えていない場合には、ステップＳ７４からステップＳ７８，ステップＳ８０を経てステップＳ７２に戻るルートにより、上述したように揺動の操作回数に応じてサムネイル表示の枚数が増える。  
ステップＳ７４において４枚を超えていると判定した場合には、次のステップＳ７５において画像処理＆制御部５は、類似画像を分類して表示画面の４角（の領域）に揃えて表示する。この場合の表示例を図１３Ｃに示す。
【００６３】
図１３Ｃに示すように表示画面の４角に、Ａグループの画像、Ｂグループの画像、Ｃグループの画像、その他（のグループ）の画像に分類されて、４つに区分けされてそれぞれ表示される。  
一方、ステップＳ７２において揺動が無いと判定された場合にはステップＳ７６において画像処理＆制御部５は、振動検出部１３を介してユーザ３１によるタップ（叩き）の操作が有りか否かの判定を行う。  
タップ有りと判定した場合にはステップＳ７７において画像処理＆制御部５は、同じ数の画像を整列（入れ替え）表示した後、ステップＳ７８に進む。また、ステップＳ７４において４枚を超えていないと判定した場合、ステップＳ７６においてタップ無しの判定を行った場合もステップＳ７８の処理に移る。
【００６４】
ステップＳ７８において画像処理＆制御部５は、ユーザ３１がタッチ操作で画像を選択したか否かの判定を行う。タッチ操作で画像の選択が行われた場合には、ステップＳ７９において画像処理＆制御部５は、選択された画像を拡大表示する。  
この場合、図１３ＣにおけるＡグループの画像Ａ７をユーザ３１がタッチして選択した場合の表示例としての図１３Ｄに示し、Ａグループの画像Ａ７が選択されて拡大表示される。この拡大表示の後、画像処理＆制御部５は、ステップＳ７２の処理に戻る。  
一方、ステップＳ７８においてタッチによる選択操作が無いと判定した場合にはステップＳ８０において画像処理＆制御部５は、揺動による終了操作がされたか否かの判定を行い、終了操作が行われた場合にはこの図１２の処理を終了する。終了操作でない場合には、画像処理＆制御部５は、ステップＳ７２の処理に戻る。
【００６５】
図１４はステップＳ７５の類似画像を分類して表示画面の４角（の領域）に揃えて表示する処理内容を示す。  
この処理が開始すると、最初のステップＳ９１において画像処理＆制御部５は、４角における左上角（角１とする）には人物、左下角（角２とする）には風景、右上角（角３とする）には花（マクロでも良い）、左下角（角４とする）にはその他とする、４つのグループに分類して表示する分類表示領域の設定を行う。  
次のステップＳ９２において画像処理＆制御部５は、（揺動有りの場合）撮影された画像を、上記４つのグループのいずれに対応するかの分類（判定）を行い、その画像を対応する角に配置（移動する）。
【００６６】
次のステップＳ９３において画像処理＆制御部５は、ステップＳ９２で角に配置された画像と同じ角に次の画像を配置する場合、すでに配置された古い画像が有ればその上に新しい画像を上に重ねる。従って、各角に配置された表示される画像は、最も新しい画像が一番上になる状態で表示される。  
なお、この場合における新しい画像とは、撮影された画像における撮影日時の時間的な順序を意味するものでなく、表示画面に実際に表示される際の画像が新しいか否かを意味している。そして、ステップＳ９３の処理の後、図１４の処理を終了する。  
このように動作する本実施形態によれば、第１の実施形態と同様にカメラ１に少なくとも所定値以上の振動を与える簡単な操作により、撮影された画像を順次表示し、所定枚数（本実施形態では４枚）を超えると分類して表示できる。  
従って、ユーザ３１は所望とする画像を簡単に検索し易くなり、本実施形態は、ユーザ３１に対する操作性を向上することができる。
【００６７】
（第３の実施形態）
次に図１５を参照して本発明の第３の実施形態を説明する。本実施形態は、第２の実施形態の変形例に該当する。本実施形態のカメラ１は、図１に示した構成と同じであり、ＲＯＭ１６に格納された制御プログラムの一部が異なるのみである。  
具体的には、再生モードにおける画像を分類して表示する制御動作が第１の実施形態と異なり、本実施形態は、第２の実施形態を変形した制御動作となる。図１５は本実施形態における再生モードの制御動作を示す。  
図１５に示すフローチャートは、図１２のフローチャ−トにおいて、ステップＳ７５の処理の代わりにステップＳ８３に示す処理を行う。また、図１２におけるステップＳ７３とステップＳ７４との間に設けたステップＳ８１において（揺動が）大きいか否かを判定する処理を設けている。
【００６８】
つまり、ステップＳ７３のサムネイル表示の次のステップＳ８１において画像処理＆制御部５は、（ステップＳ７２の揺動操作により）大きくカメラ１を振る操作であるか否かの判定を、振動検出部１３を用いて行う。大きく振る操作でないと判定した場合には画像処理＆制御部５は、ステップＳ７４に進む。  
なお、大きく振る操作の判定をする場合、直線方向に沿っての加速度変化の大きさ（換言すると振動の振幅が大きいか）により判定しても良い。この場合に限らず、遠心力が働くような円弧状に振る（スイング）場合の振動を揺動と判定して、その振る操作の大きさから判定しても良い。  
一方、大きく振る操作と判定した場合には、ステップＳ８２において画像処理＆制御部５は、その場合の画像を表示画面の外に飛ばす処理を行った後、ステップＳ７２の処理に戻る。  
また、ステップＳ７４において表示されている画像が４枚を超えていない判定の場合とステップＳ８３の処理の後に画像処理＆制御部５は、ステップＳ７６の処理に移る。
【００６９】
なお、４枚を超えない場合のステップＳ７３のサムネイル表示は、第２の実施形態と同様であり、例えば２枚、４枚の場合には例えば図１３Ａ、図１３Ｂのような表示となる。  本実施形態においては、ステップＳ７４において表示されている画像が４枚を超えていると判定した場合には図１６Ａに示すように中央部に表示された画像を分類してその４角における対応する角領域の角グループに振り分けるように配置する（移動する）。  
つまり、画像が４枚の場合には、第２の実施形態で説明したように図１３Ｂに示すように整列して縮小したサムネイル表示するが、５枚になった場合には５枚目の画像を中央に表示し、それ以前の画像を分類して周辺部となる４角に振り分けて表示する。なお、中央の画像は、第１の実施形態のように周辺部に配置して表示される画像よりも大きいサイズで表示しても良いし、同じサイズで表示しても良い。
【００７０】
そして、さらに揺動されている場合には、６枚目の画像を中央に表示し、５枚目の画像を分類結果に応じて、４角における対応する角グループに振り分けるように配置する。  
このステップＳ８３の処理の後のステップＳ７６において、ユーザがタップ（叩く）操作を行うと、画像処理＆制御部５は、タップ有りを判定する。  
このタップ有りの判定前の画像が図１６Ａの状態であると、タップ有りの判定により、画像処理＆制御部５は、図１６Ｂに示すように同じ数の画像を整列して表示する。  
この場合、画像処理＆制御部５は、同じグループに分類したものを、それぞれのグループ内で整列させて表示する表示制御を行う。従って、ユーザ３１は、このタックの操作を行うことにより、同じグループに分類した画像の全てが整列表示されるので、確認が容易にできる。  
その他の処理は、第２の実施形態と同様である。本実施形態によれば、第２の実施形態とほぼ同様の効果が得られる。
【００７１】
（第４の実施形態）
次に図１７を参照して本発明の第４の実施形態を説明する。本実施形態のカメラ１Ｄは、図１に示したカメラ１において、さらに傾き検知を行う傾き検知部３０を備えている。
【００７２】
この傾き検知部３０は、ユーザ３１により保持されたカメラ１Ｄの傾きを検知して、画像処理＆制御部５に出力する。  
画像処理＆制御部５は、この傾き検知部３０によるカメラ１の傾き角に応じて、揺動された場合における画像を分類して表示する表示速度を変更する制御を行う。なお、傾き検知部３０により検知される傾き角は、表示部６（の表示画面を含む平面）が基準面から傾いている角である。  
デフォルト設定においては、基準面は例えば表示部６の表示画面が水平面に平行な状態に設定されている。
【００７３】
この場合には、傾き検知部３０は、表示部６の表示画面が水平面に平行な状態からどれだけ傾いているかを検出する。ユーザ３１は、基準面をメニュー画面において変更設定することもできる。なお、傾き検知部３０を、振動検出部１３を構成する３つの加速度センサ１８ａ〜１８ｃを利用して形成しても良い。  
その他、本実施形態は、第３の実施形態とＲＯＭ１６に格納された制御プログラムの一部が異なるのみである。  
図１８は本実施形態における再生モードの制御動作を示す。図１８のフローチャートは、図１５のフローチャートにおいてステップＳ７４の次のステップＳ８３を、ステップＳ８５，ステップＳ８６，ステップＳ８７に変更している。
【００７４】
再生モードの動作が開始し、図１５の場合と同様に、最初のステップＳ７１において最後に撮影された画像が表示された後、ステップＳ７２により揺動有りと判定され、ステップＳ７３において大きい振りでないと判定されるとステップＳ７４に進む。  
このステップＳ７４において４枚を超えないと判定の場合には、図１５の場合と同様の動作となる。一方、４枚を超えると判定した場合には画像処理＆制御部５は、ステップＳ８５の処理に進む。  
このステップＳ８５において画像処理＆制御部５は、表示画面の上部側に表示していた画像を分類して表示する場合、分類に応じて類似する画像が集合して配置される４つの分類表示領域としての表示画面の下部の４つのフォルダに分けて表示する。図１９Ａは、この場合における表示例を示す。分類前の画像は表示画面の上部側に表示され、その画像は分類に応じて、下部の４つのフォルダにおける対応する１つのフォルダに配置される。
【００７５】
このように４枚を超えている場合には、表示画面の上部中央の画像から、その下部側に左右方向に複数（この場合４つ）、配置された４つのフォルダにおける対応するフォルダに振り分けて表示する。  
左右方向の４つのフォルダは、上述したＡグループ、Ｂグループ、Ｃグループ、その他（のグループ）に相当する。  
ステップＳ８５の処理の後のステップＳ８６において画像処理＆制御部５は、傾き有りか否かの判定を傾き検知部３０を用いて判定する。このステップＳ８６において画像処理＆制御部５は、傾き無しと判定した場合には、ステップＳ７６の処理に移り、傾き有りと判定した場合にはステップＳ８７の処理に進む。
【００７６】
ステップＳ８７において画像処理＆制御部５は、図１９Ａに示したように上から下部側に分類して振り分けるように移動する場合、傾き有りと判定した場合の傾き角の大きさに応じて振り分ける速度を変更する。  
具体的には、傾き角が小さい場合には、振り分ける速度を小さくし、傾き角が大きい場合には振り分ける速度を大きくする。ステップＳ８７の処理の後、画像処理＆制御部５は、ステップＳ８６の処理に戻る。  
ユーザ３１は、撮影した複数の画像から所望とする画像を検索して表示させようとした場合、カメラ１Ｄを保持して揺動（シェイク）することにより、表示画面の上部中央の画像を分類して下部側に振り分ける。
【００７７】
この場合、カメラ１Ｄを基準面から傾ける角度を大きくすることにより、振り分ける速度を大きくでき、逆に傾ける角度を小さくすることにより振り分けて分類表示する速度を小さくすることができる。そして、傾き角度を基準面と平行な状態に設定することにより、その表示状態のままとなる。  
その他の動作は、第３の実施形態と同様であるが、例えばステップＳ７６においてタップ有りと判定した場合には、その直前において１６枚の画像を分類して表示していた状態であると、例えば図１９Ｂに示すようにそれらを整列して表示する。この場合には、各フォルダ内では縦方向に類似した画像が整列されて表示される。  
本実施形態によれば、第２の実施形態と同様の効果を有する。また、本実施形態は、上述した傾き角に応じて、画像を分類して表示する速度を変更することができるので、ユーザ３１は簡単な操作で所望とする画像を検索し易くなる。
【００７８】
（第５の実施形態）
次に図２０を参照して本発明の第５の実施形態を説明する。本実施形態のカメラ１は、図１に示した構成と同じであり、ＲＯＭ１６に格納された制御プログラムの一部が第１の実施形態と異なるのみである。  
具体的には、再生モードにおける画像を分類して表示する制御動作が第１の実施形態と異なり、本実施形態は、第２の実施形態又は第４の実施形態を変形した制御動作となる。  
図２０は本実施形態における再生モードの制御動作を示す。図２０に示すフローチャートは、図１８のフローチャ−トにおいて、ステップＳ７４の次のステップＳ８５〜ステップＳ８７を、ステップＳ８８〜ステップＳ９０に変更している。
【００７９】
ステップＳ７４において画像処理＆制御部５は、４枚を超えるか否かの判定を行い、４枚を超えていない判定の場合にはステップＳ７６の処理に移り、４枚を超えている判定の場合にはステップＳ８８に進む。  
このステップＳ８８において画像処理＆制御部５は、ユーザ３１が表示画面にタッチしているか否かの判定をタッチパネル８、操作判定部９を介して判定する。なお、このタッチは、保持の場合を含む。  
タッチしていない判定の場合には画像処理＆制御部５は、ステップＳ７６に移り、タッチしている判定の場合には、ステップＳ８９においてタッチパネル８（つまり表示画面）のタッチしている位置も検出する。
【００８０】
本実施形態においては、タッチしている位置の検出として、表示画面の周辺部における例えば４角におけるどの角であるか、又は２つの角を検出する。なお、タッチ位置により分類して表示する表示形態が変わるような場合、タッチする位置を表示部６の表示画面上に表示しても良い。  
次のステップＳ９０において画像処理＆制御部５は、類維持する画像を分類して表示する場合、タッチしている位置から、タッチしていない周辺側となる３角（の領域）又は２角に振り分けるように移動して表示し、ステップＳ８８の処理に戻る。この場合、ユーザ３１がタッチしている角に分類されるべき画像は、表示画面で表示しない。  
図２１Ａは、ステップＳ９０の動作の表示例を示す。図２１Ａは、ユーザ３１が例えば表示画面の右上角をタッチした状態の場合であり、右上角に表示する画像を残りの３角に向けて類似する画像に振り分けるように移動して表示する。
【００８１】
２つの角にタッチしている場合には、残りの２つの角に振り分けて表示する。右上角に分類して表示されるべきＣグループの画像は、この場合には表示されない。このステップＳ９０の処理の後、ステップＳ８８に戻る。  
このような処理を行うことにより、ユーザ３１は例えば検索対象から外れるグループの画像が分類して表示される角となる位置をタッチすれば、残りの３角又は２角に、検索対象の画像を含む画像を分類して表示することができる。  
つまり、本実施形態は、画像を分類して表示する場合、分類して表示する類似画像を全てのグループで表示しないで、ユーザ３１の（タッチによる）選択により、１つ以上のグループを非表示にして絞り込んで表示することができる。
【００８２】
また、ステップＳ９０の処理後、ステップＳ８８に戻り、ユーザ３１がタッチをやめると、ステップＳ７６に移る。そして、ユーザ３１がタップの操作を行うと、図２１Ｂに示すように同じ数の画像が整列されて表示される。その他の処理は、第４の実施形態と同様である。  
本実施形態によれば、ユーザ３１は分類して表示させる場合、検索対象から外れるグループの画像を非表示にして、検索対象に含まれる画像のみを分類して表示することができる。その他、第２の実施形態とほぼ同様の効果を有する。
【００８３】
また、上述した実施形態等を、その発明の要旨を変更することなく変形したり、複数の実施形態を部分的に組み合わせる等して構成される実施形態等も本発明に属する。  
例えば、図１に示したカメラ１を形成する構成は、図１に示したものに限定されるものでなく、カメラ１の全体として、これらの機能を備えたものであれば良い。例えば、画像処理＆制御部５が振動検出部１３を備えた構成でも良い。また、表示制御部５ｂが画像処理＆制御部５の機能を備えたものでも良い。  
また、上述した実施形態の制御プログラムを記録したＲＯＭ１６その他の記録媒体を利用して、本実施形態等の画像表示制御方法を形成するようにしても良い。  
また、上述した実施形態においては撮影機能を備えた撮影装置としてのカメラ１等の場合において説明したが、例えば図１に示す構成において撮像部３を有しないフォトビューアや、フォトフレームのような画像再生装置の場合にも適用することができる。この画像再生装置の場合においても、他の撮影装置等により、撮影された画像を図１の記録部１２に相当する記録手段を備えていれば、同様に適用できる。
【符号の説明】
【００８４】
１、１Ｄ…カメラ、２…ケース、３…撮像部、５…画像処理＆制御部、５ａ…画像分類部、５ｂ…表示制御部、６…表示部、８…タッチパネル、９…操作判定部、１１…操作部、１２…記録部、１２ａ…画像分類情報記録領域、１３…振動検出部、１４…顔等検出部、１８ａ〜１８ｃ…加速度センサ、３０…傾き検出部、３１…ユーザ、３２Ｒ…右手、３３〜３６…画像
【先行技術文献】
【特許文献】
【００８５】
【特許文献１】特開２００８−１９３４２６号公報
【図１】
2010233081.tif 000003
【図２】
2010233081.tif 000004
【図３】
2010233081.tif 000005
【図４Ａ】
2010233081.tif 000006
【図４Ｂ】
2010233081.tif 000007
【図４Ｃ】
2010233081.tif 000008
【図４Ｄ】
2010233081.tif 000009
【図５】
2010233081.tif 000010
【図６】
2010233081.tif 000011
【図７Ａ】
2010233081.tif 000012
【図７Ｂ】
2010233081.tif 000013
【図８】
2010233081.tif 000014
【図９】
2010233081.tif 000015
【図１０Ａ】
2010233081.tif 000016
【図１０Ｂ】
2010233081.tif 000017
【図１０Ｃ】
2010233081.tif 000018
【図１０Ｄ】
2010233081.tif 000019
【図１０Ｅ】
2010233081.tif 000020
【図１０Ｆ】
2010233081.tif 000021
【図１１】
2010233081.tif 000022
【図１２】
2010233081.tif 000023
【図１３Ａ】
2010233081.tif 000024
【図１３Ｂ】
2010233081.tif 000025
【図１３Ｃ】
2010233081.tif 000026
【図１３Ｄ】
2010233081.tif 000027
【図１４】
2010233081.tif 000028
【図１５】
2010233081.tif 000029
【図１６Ａ】
2010233081.tif 000030
【図１６Ｂ】
2010233081.tif 000031
【図１７】
2010233081.tif 000032
【図１８】
2010233081.tif 000033
【図１９Ａ】
2010233081.tif 000034
【図１９Ｂ】
2010233081.tif 000035
【図２０】
2010233081.tif 000036
【図２１Ａ】
2010233081.tif 000037
【図２１Ｂ】
2010233081.tif 000038